(57)【特許請求の範囲】
【請求項１】
内部に物品貯蔵室を有し前面が開口された箱体と、
前記物品貯蔵室の上部側開口を閉塞する開閉自在な上部扉と、
前記物品貯蔵室の下部側開口を閉塞する開閉自在な下部扉と、
前記上部扉と前記下部扉の間に設けられ前記上部扉と前記下部扉の間の開口を閉塞する開閉自在なセンターピラーとを有し、前記上部扉と前記下部扉と前記センターピラーの左右一端側をそれぞれ前記物品貯蔵室の同じ開口端側に回動自在に取り付けた物品貯蔵庫であって、
高さ方向において、前記センターピラーと前記上部扉とが少なくとも一部で重なる受け手段と、前記センターピラーと前記下部扉とが少なくとも一部で重なる受け手段とが設けられており、前記上部扉及び下部扉の前記受け手段は、どちらも断面略L字形のプレートを上部扉と下部扉に取り付けることで構成することを特徴とする物品貯蔵庫。
【請求項２】
前記センターピラーには、センターピラー側受部材が設けられ、
前記センターピラーの開放時には前記センターピラー側受部材が前記扉側の断面略L字形のプレートを開方向に押し、前記上部扉または前記下部扉の閉鎖時には前記扉側の断面略L字形のプレートが前記センターピラー側受部材を閉鎖方向に押すことを特徴とする請求項１に記載の物品貯蔵庫。
【請求項３】
前記センターピラー側受部材は前記扉側の断面略L字形のプレートに対し開閉方向閉鎖側に配設されていることを特徴とする請求項２に記載の物品貯蔵庫。
【請求項４】
前記センターピラー側受部材と前記扉側の断面略L字形のプレートとの間には、前記センターピラー側受部材と前記扉側の断面略L字形のプレートとを密着させる第１磁石が配設されていることを特徴とする請求項２または請求項３に記載の物品貯蔵庫。
【請求項５】
前記上部扉と前記下部扉と前記センターピラーは、閉塞時、それぞれの内面がほぼ同一線上に沿って並置されていることを特徴とする請求項１から請求項４のいずれかに記載の物品貯蔵庫。
【請求項６】
前記センターピラーを回動自在に枢支する枢軸は、前記上部扉と前記下部扉を回動自在に枢支する軸と同一軸上に取り付けられていることを特徴とする請求項１から請求項５のいずれかに記載の物品貯蔵庫。
【請求項７】
前記センターピラーは、開放側先端部に開閉用の取手を有することを特徴とする請求項１から請求項６のいずれかに記載の物品貯蔵庫。
【請求項８】
物品貯蔵庫開口周縁、上部扉内面側、下部扉内面側、センターピラー内面側のいずれかには、上部扉内面側、下部扉内面側、センターピラーそれぞれを閉鎖側に吸着させる第２磁石、第３磁石、第４磁石が配設されており、
前記上部扉もしくは前記下部扉どちらか一方の開放においては、前記センターピラー及び前記上部扉もしくは前記下部扉どちらか他方の扉は閉鎖状態であり、
前記上部扉および前記下部扉の両扉開放においては、前記センターピラーは開放するよう第１磁石、第２磁石、第３磁石、第４磁石の吸着力を設定することを特徴とする請求項１から請求項７のいずれかに記載の物品貯蔵庫。
【請求項９】
前記センターピラーには、さらに前記枢軸に付設されて前記センターピラーを開方向に付勢する捩りコイルばねが配設されており、
前記上部扉もしくは前記下部扉どちらか一方の開放においては、前記センターピラー及び前記上部扉もしくは前記下部扉どちらか他方の扉は閉鎖状態であり、
前記上部扉および前記下部扉の両扉開放においては、前記センターピラーは開放するよう前記第１磁石、第２磁石、第３磁石、第４磁石の吸着力と前記コイルばね付勢力を設定することを特徴とする請求項８に記載の物品貯蔵庫。
【請求項１０】
前記センターピラーの開放側先端部と前記箱体との間に設けられ、前記センターピラーの閉塞時に互いに係合されて前記センターピラーの上下方向の移動を規制するストッパー手段を有することを特徴とする請求項１から請求項９のいずれかに記載の物品貯蔵庫。
【発明の詳細な説明】
【技術分野】
【０００１】
本発明は、例えば業務用貯蔵庫若しくは冷凍庫等、内部に物品を貯蔵する物品貯蔵庫に関し、特に、内部に物品貯蔵室を設けて前面が開口された箱体を有し、該箱体の開口を閉塞する扉が上下方向で複数に分割されている物品貯蔵庫に関する。
【背景技術】
【０００２】
従来、業務用冷蔵庫若しくは冷凍庫等、内部に物品貯蔵室を設けて前面が開口された箱体を有してなる物品貯蔵庫において、上下に分割されている２つの扉で箱体の開口部を閉塞する構造は、例えば特許文献１等で知られている。
【０００３】
特許文献１の物品貯蔵庫は、上下２つに分割されている扉を備える。また、上部扉と下部扉の間に配置される横仕切体を該上部扉の下部に取り付け、該横仕切体を回転させて位置を切り換えることにより、上部扉と下部扉が個々に開放されるのを可能にしている。そして、上下扉閉時は横仕切体が上下扉に接しており、上扉開時及び上下扉開時には横仕切体がなくなるため、横仕切体が本体に固定された従来品に比べ開放が広くとれ、物の出し入れ容易になる。
【先行技術文献】
【特許文献】
【０００４】
【特許文献１】特開平９−１５２２６１号公報
【発明の概要】
【発明が解決しようとする課題】
【０００５】
しかし、特許文献１に記載される物品貯蔵庫の構造は、上部扉と下部扉の間に隙間が生じて密閉性が低下し、業務用冷蔵庫若しくは冷凍庫等に採用した場合では庫内冷気の漏れが発生し易い問題点があった。また、横仕切体の回転軸と上扉裏面の距離が固定されているため、上扉を横仕切体に押し付けることができず密着しないため、気密性が不十分であるという問題があった。また、横仕切体が扉面より庫内側に配置されているため、その分、庫内容積が実質少なくなる。さらに、庫内に横仕切体が出し入れされるため、横仕切体の両側にはクリアランスが必要となり気密性が不十分であった。
【０００６】
そこで、本発明は上記問題点に鑑みなされたものであって、気密性を向上することができ、庫内容量を確保でき、さらに操作性を向上できる物品貯蔵庫を提供することを目的とする。
【課題を解決するための手段】
【０００７】
上記課題を解決するために、本発明に係る物品貯蔵庫は、内部に物品貯蔵室を有し前面が開口された箱体を備え物品貯蔵庫において、前記物品貯蔵室の上部側開口を閉塞する開閉自在な上部扉と、前記物品貯蔵室の下部側開口を閉塞する開閉自在な下部扉と、前記上部扉と前記下部扉の間に設けられ前記上部扉と前記下部扉の間の開口を閉塞する開閉自在なセンターピラーとを有し、前記上部扉と前記下部扉と前記センターピラーの左右一端側をそれぞれ前記物品貯蔵室の同じ開口端側に回動自在に取り付ける。
【０００８】
この構成によれば、上部扉と下部扉とセンターピラーの左右一端側を前記物品貯蔵室の同じ開口端側に回動自在に取り付けているので、扉とセンターピラーが独立して開閉するため扉とセンターピラーを押し付けることができ気密性を向上できる。またセンターピラーのためのクリアランスを無くすことができるためさらに気密性を向上させることができる。また、センターピラーを庫内に配置する必要がないため庫内容量を確保することができる。またセンターピラーを扉と同期させて開放させることができるため操作性を向上できる。
【０００９】
上記構成において、高さ方向において、前記センターピラーと前記上部扉とが少なくとも一部で重なる受け手段と、前記センターピラーと前記下部扉とが少なくとも一部で重なる受け手段とが設けられている、構成を採用できる。
【００１０】
この構成によれば、センターピラーと上部扉、センターピラーと下部扉とが重なる受け手段によって庫内の気密性を確保することができる。
【００１１】
上記構成において、前記受け手段は、前記センターピラーに設けられたセンターピラー側受部材と、前記上部扉および前記下部扉それぞれに設けられた扉側受部材とで構成され、前記センターピラーの開放時には前記センターピラー側受部材が前記扉側受部材を開方向に押し、前記上部扉または前記下部扉の閉鎖時には前記扉側受部材が前記センターピラー側受部材を閉鎖方向に押す構成を採用できる。
【００１２】
この構成によれば、センターピラーを開放するときには扉側受部材を開方向に押すため、センターピラーを開放するだけで上部扉と下部扉を開放することができ、操作性を向上することができる。また、上部扉または下部扉の閉鎖時には扉側受部材がセンターピラー側受部材を閉鎖方向に押すため気密性が向上する。
【００１３】
上記構成において、前記センターピラー側受部材は前記扉側受部材に対し開閉方向閉鎖側に配設されている構成を採用できる。この構成によれば、センターピラーと上部扉と下部扉の接する箇所を庫内側にできるため気密性を向上できる。
【００１４】
上記構成において、前記センターピラー側受部材と前記扉側受部材との間には、前記センターピラー側受部材と前記扉側受部材とを密着させる第１磁石が配設されている構成を採用できる。この構成によれば、第１磁石の吸着力により、庫内の気密性を向上することができる。
【００１５】
上記構成において、前記上部扉と前記下部扉と前記センターピラーは、閉塞時、それぞれの内面がほぼ同一線上に沿って並置されている構成を採用できる。
【００１６】
この構成によれば、閉塞時、上部扉と下部扉とセンターピラーの内面がほぼ同一線上に沿って並置されるので、物品貯蔵室内に大きく突出しているものがなく、箱体との間における良好な気密性が得られる。また、扉の閉塞時に物品貯蔵室内に収納された物品と干渉するような突出部分がないので、物品貯蔵室の収納スペースを最大限に利用することができる。さらに、物品の出し入れもスムーズに行える。
【００１７】
上記構成において、前記センターピラーを回動自在に枢支する枢軸は、前記上部扉と前記下部扉を回動自在に枢支する軸と同一軸上に取り付けられている構成を採用できる。
【００１８】
この構成によれば、センターピラーの軸上に上部扉と下部扉を回動自在に取り付けることにより、前記センターピラーと上部扉と下部扉の同軸性が向上し、各扉間に発生するズレやガタツキの発生をさらに抑えることができる。また、製造組立時における各扉間のズレやガタツキ調整もさらに簡単になる。これによって庫内の気密性が向上する。
【００１９】
上記構成において、前記センターピラーは、開放側先端部に開閉用の取手を有する構成を採用できる。この構成によれば、センターピラーの開閉が容易であり、上下扉を開くとき、すなわち開口全部を利用するときに、開閉用の取手を使用してスムーズに開閉操作することができる。
【００２０】
上記構成において、物品貯蔵庫開口周縁、上部扉内面側、下部扉内面側、センターピラー内面側のいずれかには、上部扉内面側、下部扉内面側、センターピラーそれぞれを閉鎖側に吸着させる第２磁石、第３磁石、第４磁石が配設されており、前記上部扉もしくは前記下部扉どちらか一方の開放においては、前記センターピラー及び前記上部扉もしくは前記下部扉どちらか他方の扉は閉鎖状態であり、前記上部扉および前記下部扉の両扉開放においては、前記センターピラーは開放するよう第１磁石、第２磁石、第３磁石、第４磁石の吸着力を設定する構成を採用できる。
【００２１】
この構成によれば、上部扉または下部扉だけを開放しようとするときには上部扉または下部扉だけを開放することができ、また両扉を開放するときにはセンターピラーも一緒に開放することができるため、センターピラーが上部扉および下部扉から離れて単独状態となることを抑止できるとともに操作性を向上できる。
【００２２】
上記構成において、前記センターピラーには、さらに前記枢軸に付設されて前記センターピラーを開方向に付勢する捩りコイルばねが配設されており、前記上部扉もしくは前記下部扉どちらか一方の開放においては、前記センターピラー及び前記上部扉もしくは前記下部扉どちらか他方の扉は閉鎖状態であり、前記上部扉および前記下部扉の両扉開放においては、前記センターピラーは開放するよう前記第１磁石、第２磁石、第３磁石、第４磁石の吸着力と前記コイルばね付勢力を設定する構成を採用できる。
【００２３】
この構成によれば、上部扉と下部扉の両扉を開放するときにはセンターピラーは捩りコイルばねと第１磁石によって上部扉と下部扉と一体化されているため、センターピラーが上部扉および下部扉から離れて単独状態となることを確実に抑止することができるとともに操作性を向上できる。
【００２４】
上記構成において、前記センターピラーの開放側先端部と前記箱体との間に設けられ、前記センターピラーの閉塞時に互いに係合されて前記センターピラーの上下方向の移動を規制するストッパー手段を有する構成を採用できる。この構成によれば、センターピラーの閉塞時に、ストッパー手段がセンターピラーの開放側先端部における上下方向の移動を規制するので、センターピラーが上下移動してしまうことによってセンターピラー吊元（本体との支持側）に加わる負荷を無くすことができるとともに、センターピラーの上下移動のズレによる扉閉鎖時における気密性の不具合を防止できる。
【発明の効果】
【００２５】
本発明によれば、気密性を向上することができ、庫内容量を確保でき、さらに操作性を向上できる物品貯蔵庫を提供することができる。
【図面の簡単な説明】
【００２６】
【図１】本発明を適用した一実施形態として示す物品貯蔵庫の全体斜視図である。
【図２】図１のＡ部に相当する部分の拡大平面図である。
【図３】図１のＣ−Ｃ線拡大概略断面図である。
【図４】センターピラーを全閉した状態で図１のＡ部に相当する部分を外側から見て示す拡大斜視図である。
【図５】本実施形態の物品貯蔵庫における中間ヒンジ周辺構造の拡大斜視図である。
【図６】図１のＢ部に相当する部分の拡大斜視図である。
【図７】図６のＤ−Ｄ線拡大断面図である。
【図８】本発明に係る物品貯蔵庫の一変形例を示す説明図である。
【図９】本発明に係る物品貯蔵庫における中間ヒンジ部分の変形例を示す説明図である。
【図１０】本発明に係る物品貯蔵庫のさらに他の変形例を示す説明図である。
【図１１】本発明に係る物品貯蔵庫のさらに他の変形例を示す説明図である。
【発明を実施するための形態】
【００２７】
以下、添付図面を参照して、本発明を実施するための形態（以下、実施形態）について詳細に説明する。図１は本発明に係る物品貯蔵庫の一実施形態としてショーケースの全体斜視図、図２は図１のＡ部に相当する部分の拡大平面図、図３は図１のＣ−Ｃ線拡大概略断面図、図４はセンターピラーを全閉した状態で図１のＡ部に相当する部分を外側から見て示す拡大斜視図、図５は本実施形態の物品貯蔵庫における中間ヒンジ周辺構造の拡大斜視図、図６は図１のＢ部に相当する部分の拡大斜視図、図７は図６のＤ−Ｄ線拡大概略断面図である。なお、実施形態の説明の全体を通して同じ要素には同じ番号を付している。
【００２８】
図１において、物品貯蔵庫１は、内部に物品貯蔵室２を設けて前面が開口されて側面三面をガラスで囲った箱体３を有する。該箱体３の下側には、物品貯蔵庫２と断熱した機械室Ｃを設け、機械室Ｃには図示しない冷凍装置を構成する圧縮機、凝縮器及び凝縮用ファン等が取り付けられている。また、箱体３の前面には片開き扉４(以下、単に「扉４」という)が取り付けられている。
【００２９】
前記物品貯蔵室２は、縦長の貯蔵室であり、内部には取り外し・移動可能な棚(図示せず)が取り付けられており、該棚を取り外し若しくは移動させることによって該物品貯蔵室２内部の使用形態を自由に変更できるようになっている。
【００３０】
前記扉４は、図３に示すように、前記物品貯蔵室２の前面開口を閉塞して前記箱体３の前面に取り付けられており、中間扉としてのセンターピラー５と、該センターピラー５の上側位置に配設された上部扉６と、該センターピラー５の下側位置に配設された下部扉７等により構成されている。
【００３１】
なお、前記センターピラー５と上部扉６と下部扉７は、本実施形態では、図１に示すように、正面視右側一端部がそれぞれ上部ヒンジ８ａ,下部ヒンジ８ｂ,中間ヒンジ８ｃを介して箱体３の前面右端部に回動自在に取り付けられており、各扉(５,６,７)が全閉から全開放まで約２１０度、同方向に回転できるようになっている。また、箱体１の前面には、前記物品貯蔵室２の前面開口周縁には、閉塞時、前記上部扉６の内面外周部分と物品貯蔵室２の間と、前記下部扉７の内面外周部と物品貯蔵室２の間、及び、センターピラー５の両端部分と物品貯蔵室２の間における密閉性をそれぞれ保持するためのシール材１６(図３参照)が取り付けられている。物品貯蔵庫２開口周縁を囲うシール材１６には永久磁石１６ａが内蔵されている。この永久磁石１６ａのうち上部扉内面側を閉鎖側に吸着させる部分を第２磁石、下部扉内面側を閉鎖側に吸着させる部分を第３磁石、センターピラーを閉鎖側に吸着させる部分を第４磁石という。またセンターピラー５の先端であってシール材１６との当接部や、上部扉６と下部扉の周縁であってシール材１６との当接部は例えばスチールでできている。このため、閉塞されたセンターピラー５、上部扉６及び下部扉７をそれぞれ該永久磁石１６ａの吸着磁力で閉塞保持する構造になっており、この吸着磁力で扉を閉塞保持する構造自体は良く知られた構造である。
【００３２】
また、前記センターピラー５は物品貯蔵室２の上下方向中間部に設けられている中間ヒンジ８ｃに右側一端部が回動自在に取り付けられている。前記上部扉６は物品貯蔵室２の上部に設けられている上部ヒンジ８ａに右側上端部が回動自在に取り付けられ、センターピラー５と同じ中間ヒンジ８ｃに右側下端部が回転自在に取り付けられている。前記下部扉７は物品貯蔵室２の下部に設けられている下部ヒンジ８ｂに右側下端部が回動自在に取り付けられ、センターピラー５と同じ中間ヒンジ８ｃに右側上端部が回転自在に取り付けられている。
【００３３】
さらに詳述すると、前記中間ヒンジ８ｃは、図２,図４及び図５に示すように、上下１対の受金具部９ａ,９ｂと固定部９ｃを一体に有する受金具９と、該上下の受金具部９ａ,９ｂを上下方向に貫通して、その上下の端部をそれぞれ該受金具部９ａ,９ｂの上下に突出して該受金具９に回動可能に取り付けられている枢軸１０により構成されている。該受け金具９は、固定部９ｃが箱体３の内壁に固定して取り付けられている。なお、枢軸１０には、抜け止めストッパーを兼ねるスペーサ１１が設けられている。
【００３４】
そして、本実施形態では、前記上部扉６の右側下端部を上受金具部９ａの上側に突出している枢軸１０の上側端部に回動自在に係合させるとともに、前記下部扉７の右側上端部を下受金具部９ｂの下側に突出している枢軸１０の下側端部に係合させて、センターピラー５を回動自在に枢支する枢軸は、上部扉６と下部扉７を回動自在に枢支する軸と同一軸上に取り付けられている。これによって前記センターピラー５と上部扉６と下部扉７との間の同軸性を確保している。
【００３５】
また、図２及び図３に示すように、前記上部扉６の下端部にはセンターピラー５側に向かって板状の延長プレート部１２ａを突出してなる断面略Ｌ字形の上部扉側受部材１２が、その上部扉６のほぼ左右幅全体に亘って取り付けられている。
【００３６】
一方、前記下部扉７の上端部にはセンターピラー５側に向かって板状の延長プレート部１４ａを突出してなる断面略Ｌ字形の下部扉側受部材１４が、その下部扉７のほぼ左右幅全体に亘って取り付けられている。
【００３７】
前記センターピラー５は、板状をした金属体を成形してなり、断面が内向きコ字状に形成された本体部５ａと、該本体部５ａの上下開口端からそれぞれ上下方向にほぼ直角に折り曲げられている上部センターピラー側受部材５ｂ及び下部センターピラー側受部材５ｃを一体に有する。そして、本体部５ａの右側一端部に前記枢軸１０が上下に貫通されて、上受金具部９ａと下受金具部９ｂの間に上下面が挟まれた状態にして受金具９に取り付けられている。
【００３８】
センターピラー５の開放時にはセンターピラー側受部材５ｂ、５ｃが扉側受部材１２、１４を開方向に押し、上部扉６または下部扉７の閉鎖時には扉側受部材１２、１４がセンターピラー側受部材５ｂ、５ｃを閉鎖方向に押すように構成されている。上部センターピラー側受部材５ｂと上部扉側受部材１２との間には、上部センターピラー側受部材５ｂと上部扉側受部材１２、１４とを密着させる帯状の永久磁石（第１磁石）１３が配設されている。下部センターピラー側受部材５ｃと下部扉側受部材１４との間には、下部センターピラー側受部材５ｃと下部扉側受部材１４とを密着させる帯状の永久磁石（第１磁石）１５が配設されている。
【００３９】
また、センターピラー側受部材５ｂ、５ｃは、扉側受部材１２、１４に対し開閉方向閉鎖側に配設されている。そして、閉塞時、上部扉６の延長プレート部１２ａが上部センターピラー側受部材５ｂの外側（扉４の開閉方向開放側）に永久磁石１３と一体に重なるとともに、下部扉７の延長プレート部１４ａが下部センターピラー側受部材５ｃの外側に永久磁石１５と一体に重なり、この間に配置された該永久磁石１３及び永久磁石１５の吸着磁力によってセンターピラー５と上部扉６の間、及び、センターピラー５と下部扉７の間をそれぞれ互いに密着させて一体化している。ここで、永久磁石１３及び永久磁石１５の吸着磁力は、箱体３側に設けられている前記永久磁石１６ａによる吸着磁力よりも弱く設定してある。すなわち、永久磁石１３、１５、１６ａは、上部扉６もしくは下部扉７どちらか一方の開放においては、センターピラー５及び上部扉６もしくは下部扉７どちらか他方の扉は閉鎖状態となり、上部扉６および下部扉７の両扉開放においては、センターピラー５は開放するよう吸着力が設定されている。
【００４０】
なお、センターピラー５には、さらに枢軸に付設されてセンターピラー５を開方向に付勢するトーションバネとしての捩りコイルばね１７がセンターピラー５における本体部５ａの内側に位置して配設されている。該捩りコイルばね１７は一端部１７ａが上受金具部９ａの係合孔９ｄを上下に貫通して掛け止めされているとともに、他端部１７ｂが該本体部５ａの内面に当接して設けられており、センターピラー５を常に開放方向、すなわち上部扉６及び下部扉７の方向に回動付勢している。また、そのばねチャージ力には、センターピラー５が閉塞位置から少なくとも２１０度開放するのに十分な力が付与されている。また、上部扉６もしくは下部扉７どちらか一方の開放においては、センターピラー５及び上部扉６もしくは下部扉７どちらか他方の扉は閉鎖状態となり、上部扉６および下部扉７の両扉開放においては、センターピラー５は開放するよう永久磁石１３、１５、１６ａの吸着力とコイルばね１７の付勢力を調整して設定している。
【００４１】
また、前記枢軸１０には、上受金具部９ａ及び下金具部９ｂと本体部５ａとの間に、それぞれ断熱材を兼ねてスペーサ１８,１８が配設されている。このスペーサ１８,１８の配設により、本体部５ａから受金具９へ伝わって逃げる冷気等を防ぐ。
【００４２】
一方、前記センターピラー５における本体部５ａの右側一端部には、切り欠き１９が該一端部から開放側である他端部側に向かって左右方向に細長くスリット状にして設けられている。該切り欠き１９は、該センターピラー５が大きく開放されたときに、捩りコイルばね１７の一端部１７ａ側におけるコイル部分が外側に膨らんで巻き解かれ、その外側に膨らんだコイル部分と本体部５ａが干渉するのを避けるためのものである。
【００４３】
前記センターピラー５の開放側先端部には、箱体３との間にストッパー手段２０が設けられている。該ストッパー手段２０は、箱体３からセンターピラー５側に向かって突出して設けられている係止用突起部２０ａと、該係止用突起部２０ａに対応して本体部５ａに形成されている係合孔２０ｂとを備え、センターピラー５の閉塞時、係止用突起部２０ａが係合孔２０ｂと係合されて該センターピラー５の開放側先端部における上下方向への移動を規制する。該ストッパー手段２０は、センターピラー５側に係合用突起部を設け、箱体３側に該係合用突起部と係合される係合孔を設けた構造であってもよい。さらに、前記センターピラー５の開放側先端部には、該センターピラー５を開閉操作する際に使用する取手２１が一体に形成されている。
【００４４】
なお、本実施形態の構造は、高さ方向において、センターピラー５と上部扉６とが少なくとも一部で重なる上部扉側受部材１２と上部センターピラー側受部材５ｂと、センターピラー５と下部扉７とが少なくとも一部で重なる下部扉側受部材１４と下部センターピラー側受部材５ｃとが受け手段を構成する。
【００４５】
次に、このように構成された扉４の動作を、図３に図１及び図２,図４〜図７を適宜加えて説明する。
【００４６】
図３に実線で示す扉４は、閉塞時の状態を示す。該扉４の閉塞時、センターピラー５、上部扉６、下部扉７は上部扉６の延長プレート部１２ａが永久磁石１３と一体に上部センターピラー側受部材５ｂの開方外側に重なるとともに、下部扉７の延長プレート部１４ａが永久磁石１５と一体に下部センターピラー側受部材５ｃの外側に重なり、該永久磁石１３及び永久磁石１５の吸着磁力でセンターピラー５と上部扉６の間及びセンターピラー５と下部扉７の間がそれぞれ互いに密着して一体化され、この一体化された状態で物品貯蔵室２の前面開口全体を覆って配設されている。また、上部扉６とセンターピラー５の先端部のシール材１６内に設けられた永久磁石１６ａによる吸着磁力は、永久磁石１５によるセンターピラー５と下部扉７の間の吸着磁力よりも大きな力で閉塞保持されている。同様に、下部扉７とセンターピラー５の先端部のシール材１６内に設けられた永久磁石１６ａによる吸着磁力は、永久磁石１３によるセンターピラー５と上部扉６の間の吸着磁力よりも大きな力で閉塞保持されている。一方、センターピラー５は、捩りコイルばね１７のばね力で開放側に付勢されて、上部扉６と下部扉７の各扉側受部材１２,１４を押圧した状態にある。
【００４７】
次に、閉塞状態において、上部扉６または下部扉７の開放側先端部に設けられている図示しない取手を持ち、例えば上部扉６をシール材１６側の吸着磁力に抗して開放すると、センターピラー５と下部扉７はシール材１６側の吸着磁力によって閉止状態が維持され、上部扉６だけが開放される。同様に、下部扉７をシール材１６側の吸着磁力に抗して開放すると、センターピラー５と上部扉６はシール材１６側の吸着磁力によって閉止状態が維持され、下部扉７だけが開放される。
【００４８】
また、センターピラー５及び上部扉６(または、下部扉７)が閉止位置に維持されている状態から、取手２１を使用してセンターピラー５を開放させると、該センターピラー５側受け部材が上部扉６側受け部材を押すので、上部扉６が同時に開放される。
【００４９】
また、全扉、センターピラー閉塞状態において、取手２１を掴んでセンターピラー５を開放させると、該センターピラー５側受け部材が上部扉６及び下部扉７は受け部材を押すので両扉が同時に開放される。
【００５０】
なお、図３において、二点鎖線で示すセンターピラー５、上部扉６、下部扉７は、その開放途中の状態を示している。
【００５１】
以上説明したごとく、本実施形態の物品貯蔵庫１の構造では、上部扉６と下部扉７とセンターピラー５の正面視右端一端側を、それぞれ物品貯蔵室２の同じ正面視右側一端部に回動自在に取り付けているので、独立開放のためセンターピラーに扉を押し付けることができる。したがって、物品貯蔵室２の開口を、センターピラー５と上部扉６と下部扉７の３つの扉で閉じる構造としても、各扉(５,６,７)間の気密性を向上できる。しかも、磁石でセンターピラー５と扉が密着し、かつセンターピラー５と上部扉６と下部扉７は同一軸１０を使用して取り付けているので、同期しての開放が可能となる。尚、コイルバネ１７を設けず、磁石１３、１５、１６の密着力だけで、上部扉６もしくは下部扉７どちらか一方の開放においては、センターピラー５及び上部扉６もしくは下部扉７どちらか他方の扉は閉鎖状態となるようにし、上部扉６および下部扉７の両扉開放においては、センターピラー５は開放するように構成することもできるが、コイルバネ１７を付加した方が調整が容易となる。
【００５２】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【００５３】
例えば、図８に示すように、上部扉６の上部扉側受部材１２と下部扉７の下部扉側受部材１４において、前記永久磁石１３,１５と対応していない部分を内側に突出するように段差を設けて屈曲させ、該突出された部分１２ｂ,１４ｂがセンターピラー５のセンターピラー側受部材５ｂ,５ｃの内面と面一となるように並置した状態に形成する。このように形成すると、扉４の内面をより平滑に形成することができ、箱体３との間の密閉性が保てる。
【００５４】
また、図９に示すように、中間ヒンジ８ｃの受金具９を、箱体３に固定される固定部２２ａと、該固定部２２ａの上下端部に互いに離れて取り付けられるＬ字形に形成された上受金具部２２ｂ及び下受金具部２２ｃとで形成し、センターピラー５を支持する枢軸１０を、該上受金具部２２ｂと下受金具部２２ｃで支持する構成にすることも可能である。
【００５５】
また、図１０に示すように、該センターピラー５は、上部扉６と下部扉７に対し開方向外側で、かつ、上部扉６の延長プレート部１２ａと下部扉７の延長プレート部１４ａにそれぞれ重なるようにして配置するとともに、該延長プレート部１２ａ及び延長プレート部１４ａと重なっているセンターピラー５の部分に永久磁石２３ａ,２３ｂを取り付けた構成にすることも可能である。図１０に示す構成では、上部扉側受部材１２、下部扉側受部材１４、センターピラー５の上部扉側受部材１２と下部扉側受部材１４に対向する箇所５ｅ、５ｆが受け手段を構成している。
【００５６】
そして、図１０に示す構成では、閉塞状態において、センターピラー先端の取手２１を使用してセンターピラー５を開放させると、該センターピラー５に密着されて上部扉６及び下部扉７を同時に開放することができる。また、上部扉６(または下部扉７)を固定した状態で、センターピラー５または下部扉７(または下部扉６)を開放させると、センターピラー５と下部扉７(または下部扉６)を密接・同期させて同時に開放させることができる。
【００５７】
また、図１１に示すように、該センターピラー５は、上部扉６と下部扉７に対し開方向外側で、かつ、上部センターピラー側受部材５ｂと下部センターピラー側受部材５ｃが上部扉６の一部及び下部扉７の一部とそれぞれ重なるようにして配置するとともに、該上部センターピラー側受部材５ｂ及び下部センターピラー側受部材５ｃの内面に永久磁石２３ａ,２３ｂを取り付けた構成にすることも可能である。図１１に示す構成では、上部センターピラー側受部材５ｂ、下部センターピラー受部材５ｃ、上部扉６に設けた金属プレート部６ａ及び下部扉７に設けた金属プレート部７ａが受け手段を構成している。金属プレート部６ａ、７ａのように扉の一部を構成している場合もセンターピラー５と重なる部分は扉側受部材となる。
【００５８】
そして、図１１に示す構成では、閉塞状態において、センターピラー先端の取手２１を使用してセンターピラー５を開放させると、該センターピラー５に密接・同期されて上部扉６及び下部扉７を同時に開放することができる。また、センターピラー５又は上部扉６（または下部扉７）を開放させると、センターピラー５と上部扉６(または下部扉７)を密接・同期させて同時に開放させることができる。
【００５９】
尚、上記実施形態では、物品貯蔵庫の例としてショーケースを例にとって説明したが、本発明はショーケースに限らず例えば冷蔵庫等のように内部の物品の温度調整を行うことができる様々な物品貯蔵庫に適用することができる。また、上記実施形態では、物品貯蔵庫２開口周縁に永久磁石１６ａを設ける例について説明したが、本発明はこれに限定されることなく、永久磁石を上部扉６内面側、下部扉７内面側、センターピラー５内面側にそれぞれ設けるようにしてもよい。
【符号の説明】
【００６０】
１      物品貯蔵庫
２      物品貯蔵室
３      箱体
４      片開き扉
５      センターピラー
５ａ    本体部
５ｂ    上部センターピラー側受部材
５ｃ    下部センターピラー側受部材
６      上部扉
７      下部扉
８ａ    上部ヒンジ
８ｂ    下部ヒンジ
８ｃ    中間ヒンジ
９      受金具
９ａ    上受金具部
９ｂ    下受金具部
９ｃ    固定部
９ｄ    係合孔
１０    枢軸
１１    スペーサ
１２    上部扉側受部材
１２ａ    延長プレート部
１３      永久磁石
１４    下部扉側受部材
１４ａ    延長プレート部
１５      永久磁石
１６      シール材
１６ａ    永久磁石
１７      捩りコイルばね
１８      スペーサ
１９      切り欠き
２０      ストッパー手段
２０ａ    係止用突起部
２０ｂ    係合孔
２１      取手
２２ａ    固定部
２２ｂ    上受金具部
２２ｃ    下受金具部
２３ａ,２３ｂ  永久磁石
【図１】
0005430322.tif 000002
【図２】
0005430322.tif 000003
【図３】
0005430322.tif 000004
【図４】
0005430322.tif 000005
【図５】
0005430322.tif 000006
【図６】
0005430322.tif 000007
【図７】
0005430322.tif 000008
【図８】
0005430322.tif 000009
【図９】
0005430322.tif 000010
【図１０】
0005430322.tif 000011
【図１１】
0005430322.tif 000012